(57)【要約】【課題】ホースや電線等の曲表面を持つ被転写体に対して確実に綺麗なマークを付けることができ、種々の転写ローラの凹曲面に対応することができるマーキング装置を提供する。【解決手段】凹曲面に形成された周溝１Ａを有する転写ローラ１と、転写ローラ１に供給されるインク２と、転写ローラ１の周溝１Ａから余分なインクを除去するドクターナイフ３とからなるマーキング装置であって、ドクターナイフ３の少なくともインク除去部が弾性体からなり、転写ローラ１の周溝１Ａに沿って変形するマーキング装置。【選択図】　図１
2004122535.tif 000002
【特許請求の範囲】
【請求項１】
凹曲面に形成された周溝（１Ａ）を有する転写ローラ（１）と、転写ローラ（１）に供給されるインク（２）と、転写ローラ（１）の周溝（１Ａ）から余分なインクを除去するドクターナイフ（３）とからなるマーキング装置であって、ドクターナイフ（３）の少なくともインク除去部が弾性体からなり、転写ローラ（１）の周溝（１Ａ）に沿って変形することを特徴とするマーキング装置。
【請求項２】
ドクターナイフ（３）のインク除去部が、転写ローラ（１）の周溝（１Ａ）を通る、曲表面を持つ被転写体（４）と同一の曲率を持つことを特徴とする請求項１に記載のマーキング装置。
【請求項３】
ドクターナイフ（３）が、弾性チューブからなることを特徴とする請求項１又は２に記載のマーキング装置。
【発明の詳細な説明】
【０００１】
【発明の属する技術分野】
本発明は、ホースや電線等の表面にマークを付けるためのマーキング装置に関するものであり、特に、曲表面に綺麗にマークを付けることができるマーキング装置に関するものである。
【０００２】
【従来の技術】
従来から、転写ローラに供給された余分なインクを除去するドクターナイフを備えたマーキング装置が知られている。即ち、図３に示すように、インク容器５に入ったインク２を転写ローラ１０にくみ上げ、転写ローラ１０の刻印をフィルム４０に転写するに際し、ドクターナイフ３０で余分なインク２を除去するというものである（例えば、特許文献１参照。）。
【０００３】
また、被転写体がフィルムのような平板状のものではなく、断面が円形の電線の場合には、電線に合わせて転写ローラの周溝を凹曲面に形成し、周溝に合致する円柱状のドクターナイフを使用したマーキング装置も知られている（例えば、特許文献２参照。）。
【０００４】
【特許文献１】
特開２００１−２８７３３５号公報　（第２頁、図３）
【特許文献２】
特開平９−２１３１４５号公報　（第２−６頁、図２−１０）
【０００５】
【発明が解決しようとする課題】
しかしながら、特許文献１に記載のマーキング装置は平板状のフィルムを被転写体としているので、断面が円形のホースや電線等が被転写体である場合には、マーキング位置が左右にずれてしまうという問題がある。
【０００６】
一方、特許文献２に記載のマーキング装置は電線を被転写体としているが、ドクターナイフが板バネの作用でアーム部の横方向に揺動自在に取り付けられているだけなので、転写ローラの横ぶれに追従するに過ぎない。
【０００７】
即ち、特許文献２に記載のマーキング装置では、横ぶれ以外の転写ローラのぶれや複合的なぶれ等には十分な対応ができず、また、転写ローラの周溝に対するドクターナイフの接触圧は調整可能であるとしても、接触面積を調整することができないので、余分なインクの除去の確実性に問題があった。しかも、転写ローラの周溝の凹曲面に応じて多くのドクターナイフを用意する必要があった。
【０００８】
そこで本発明は、ホースや電線等の曲表面を持つ被転写体に対して確実に綺麗なマークを付けることができ、種々の転写ローラの凹曲面に対応することができるマーキング装置を提供することを目的とするものである。
【０００９】
【課題を解決するための手段】
本発明は、以上の課題を解決するためになされたものであって、その要旨は、凹曲面に形成された周溝を有する転写ローラと、転写ローラに供給されるインクと、転写ローラの周溝から余分なインクを除去するドクターナイフとからなるマーキング装置であって、ドクターナイフの少なくともインク除去部が弾性体からなり、転写ローラの周溝に沿って変形するマーキング装置に係るものである。
【００１０】
そして、好ましくは、ドクターナイフのインク除去部が、転写ローラの周溝を通る、曲表面を持つ被転写体と同一の曲率を持つものであり、例えば、ドクターナイフが弾性チューブからなるマーキング装置に係るものである。
【００１１】
【発明の実施の形態】
本発明のマーキング装置は、転写ローラの周溝が凹曲面に形成されている。これは、曲表面を持つ被転写体に対応したものであり、例えば、断面が円形のホースや電線等が通るからである。但し、被転写体の断面は円形に限られず、半円形やＵ字形状のものであってもよい。
【００１２】
また、インクは、インク容器内に転写ローラの下方を浸して転写ローラに直接供給するようにしても、ローラ等を介在させて間接的に供給するようにしてもよい。
【００１３】
そして、転写ローラの周溝から余分なインクを除去するドクターナイフは、少なくともインク除去部が弾性体からなっている。即ち、ゴムや軟質樹脂等の弾性体からなり、転写ローラの周溝に押し当てられた際に、周溝に沿って変形するものである。なお、弾性体はゴムや軟質樹脂等の単体に限られず、弾性体の内部に補強層等を有していてもよい。
【００１４】
従って、ドクターナイフのインク除去部は、転写ローラの周溝の凹曲面や転写ローラのぶれ等に応じて自在に変形する。そのため、ドクターナイフの変形方向は転写ローラの横方向に限らず、転写ローラの横ぶれやそれ以外の方向のぶれ、複合的なぶれ等に対しても容易に追従する。
【００１５】
また、転写ローラの周溝に対し、ドクターナイフの接触圧だけでなく、弾性体の変形量によって接触面積を調整することも可能になるので、余分なインクを確実に除去することができる。しかも、少ないドクターナイフで転写ローラの周溝の種々の凹曲面に対応できる。
【００１６】
ここで、ドクターナイフのインク除去部は、転写ローラの周溝に沿って変形すれば断面が平板形状であってもＵ字形状等であってもよいが、転写ローラの周溝を通る、曲表面を持つ被転写体と同一の曲率を持つようにすることが好ましい。例えば、被転写体がゴムホースであるならば、そのゴムホースと同じ直径の断面円形のチューブをドクターナイフとして使用するのである。
【００１７】
このようにすれば、ゴムホースの一部を切断してドクターナイフに利用することができ、経済的であるだけでなく、被転写体に対して適切に、余分なインクを除去できるからである。しかも、チューブの曲面と弾性とを効果的に利用できるので、種々の転写ローラの周溝に対して必要なドクターナイフのサイズを大幅に少なくすることができる。
【００１８】
【実施例】
以下、本発明のマーキング装置における最良の実施の形態を図面をもって説明する。図１は、本発明のマーキング装置の一例を示す斜視図であり、図２はその正面図である。図１及び図２に示す通り、本発明のマーキング装置は、周溝１Ａを有する転写ローラ１と、転写ローラ１に供給されるインク２と、転写ローラ１の周溝１Ａから余分なインクを除去するドクターナイフ３とからなっている。
【００１９】
ここで、転写ローラ１の周溝１Ａにはマークの刻印１Ｂが施されており、上方にある固定ローラ６によって転写ローラ１に押し付けられたゴムホースの被転写体４が矢印の方向に移動すると、それに合わせて転写ローラ１が回転して被転写体４の表面にマークを付ける。
【００２０】
また、マーキング後の刻印１Ｂは転写ローラ１の回転によって下降し、インク容器５の中のインク２に浸された後、再びインクを含んで上昇する。この際、インク２は転写ローラ１の周溝１Ａの全体に付着してくみ上げられるが、刻印１Ｂ以外の部分に付着した余分なインクはドクターナイフ３によって除去される。
【００２１】
即ち、ドクターナイフ３は全体がゴムからなる弾性チューブであり、ゴムホースの被転写体４と同一の曲率を持っている。そして、ドクターナイフ３の先端は斜めにカットされたインク除去部となっており、転写ローラ１に適当な圧力で押し付けられている。
【００２２】
そのため、ドクターナイフ３のインク除去部が転写ローラ１に形成された凹曲面の周溝１Ａに沿って変形し、適当な接触圧と適当な接触面積を有することとなる。そして、たとえ転写ローラ１に横ぶれやそれ以外の方向のぶれ、複合的なぶれ等が発生したとしても、ぶれ等に容易に追従して余分なインクを確実に除去する。しかも、断面円形の先端を斜めにカットしてインク除去部としているので、転写ローラ１の周溝１Ａとの接触形状が砲弾型となってインクの切れがよい。
【００２３】
従って、ドクターナイフ３のインク除去部を通過した転写ローラ１の周溝１Ａには、刻印１Ｂの部分以外の余分なインクが除去される結果、ゴムホースである被転写体４の曲表面に綺麗にマークを付けることができる。
【００２４】
なお、被転写体４の変更に伴って転写ローラ１を取り替え、転写ローラ１の周溝１Ａに形成された凹曲面が変わったとしても、弾性チューブからなるドクターナイフ３の曲面と弾性とを効果的に利用でき、引き続き適当な接触圧と適当な接触面積を保持できるので、ドクターナイフ３の取り替えは不要である。
【００２５】
【発明の効果】
本発明のマーキング装置は、凹曲面に形成された周溝を有する転写ローラと、転写ローラに供給されるインクと、転写ローラの周溝から余分なインクを除去するドクターナイフとからなり、ドクターナイフの少なくともインク除去部が弾性体で、転写ローラの周溝に沿って変形するので、ドクターナイフのインク除去部が転写ローラの周溝の凹曲面や転写ローラのぶれ等に応じて自在に変形し、余分なインクを確実に除去することができる。
【００２６】
また、ドクターナイフの曲面と弾性とを効果的に利用できるので、種々の転写ローラの周溝に対して必要なドクターナイフのサイズを大幅に少なくすることができる。
【図面の簡単な説明】
【図１】図１は、本発明のマーキング装置の一例を示す斜視図である。
【図２】図２は、図１に示すマーキング装置の正面図である。
【図３】図３は、従来のマーキング装置を示す側面図である。
【符号の説明】
１‥転写ローラ
１Ａ‥周溝
１Ｂ‥刻印
２‥インク
３‥ドクターナイフ
４‥被転写体
５‥インク容器
６‥固定ローラ
１０‥転写ローラ
３０‥ドクターナイフ
４０‥フィルム
【図１】
2004122535.tif 000003
【図２】
2004122535.tif 000004
【図３】
2004122535.tif 000005